【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
画像を複数のブロックに分割し、分割されたブロックのブロックサイズに基づいて前記画像を符号化する画像符号化装置であって、
前記複数のブロックのうち、処理の対象である処理対象ブロックのブロックサイズに関する情報を取得する取得手段と、
前記処理対象ブロックのブロックサイズが所定のブロックサイズより小さいサイズであって、かつ、前記処理対象ブロックが含まれる量子化制御ブロック内のブロックの量子化を制御する量子化パラメータが符号化されていない場合に、前記量子化制御ブロック内のブロックの量子化を制御する量子化パラメータを符号化する符号化手段とを有する画像符号化装置。
【請求項２】
前記所定のブロックサイズは、前記画像の量子化を制御するブロックのブロックサイズであることを特徴とする請求項１に記載の画像符号化装置。
【請求項３】
前記取得手段は、前記処理対象ブロックのブロックサイズと対応したインデックスを取得することを特徴とする請求項１または請求項２に記載の画像符号化装置。
【請求項４】
前記取得手段は、前記処理対象ブロックに対する分割状態に関する情報に基づいて、当該処理対象ブロックのブロックサイズに関する情報を取得することを特徴とする請求項１乃至請求項３のいずれか一項に記載の画像符号化装置。
【請求項５】
前記符号化手段は、前記処理対象ブロックのブロックサイズが前記所定のブロックサイズより小さいサイズであって、かつ、前記処理対象ブロックが含まれる量子化制御ブロック内のブロックの量子化を制御する量子化パラメータが符号化されている場合に、前記処理対象ブロックに対する前記量子化制御ブロック内の複数のブロックの量子化を制御する量子化パラメータの符号化を行わないことを特徴とする請求項１乃至請求項４のいずれか一項に記載の画像符号化装置。
【請求項６】
前記符号化手段は、前記処理対象ブロックのブロックサイズが前記所定のブロックサイズ以上のサイズである場合に、前記処理対象ブロックの量子化を制御する量子化パラメータを符号化することを特徴とする請求項１乃至請求項５のいずれか一項記載の画像符号化装置。
【請求項７】
さらに、前記処理対象ブロックのブロックサイズが前記所定のブロックサイズ以上のサイズである場合に、前記処理対象ブロックの量子化を制御する量子化パラメータを用いて前記処理対象ブロックを量子化し、
前記処理対象ブロックのブロックサイズが前記所定のブロックサイズより小さいサイズであって、かつ、前記処理対象ブロックが含まれる量子化制御ブロック内の複数のブロックの量子化を制御する量子化パラメータが符号化されている場合に、前記処理対象ブロックの前のブロックの量子化に用いた前記量子化パラメータを用いて前記処理対象ブロックを量子化する量子化手段とを有する請求項１乃至請求項６のいずれか一項に記載の画像符号化装置。
【請求項８】
前記取得手段は、符号化の対象である前記処理対象ブロックの水平方向の画素数と垂直方向の画素数とを示すブロックサイズの情報を取得し、
前記符号化手段は、前記取得手段で得られた前記ブロックサイズの情報に応じて、前記処理対象ブロックの符号化に用いる量子化パラメータの符号化を行うことを特徴とする請求項１乃至請求項７のいずれか一項に記載の画像符号化装置。
【請求項９】
前記ブロックサイズを示す情報は、ブロックサイズと対応したインデックスであることを特徴とする請求項８に記載の画像符号化装置。
【請求項１０】
さらに、前記処理対象ブロックが分割されているか否かの状態を判定する判定手段を有し、
前記符号化手段は、前記処理対象ブロックが分割されていないと判定された場合であって、かつ、前記処理対象ブロックのブロックサイズが所定ブロックサイズ以上であると判断された場合に、前記処理対象ブロックの量子化を制御する前記量子化パラメータを符号化することを特徴とする請求項１乃至請求項９のいずれか一項に記載の画像符号化装置。
【請求項１１】
さらに、前記取得手段で得られた前記インデックスに基づいて、前記処理対象ブロックのブロックサイズと、前記所定のブロックサイズとを比較する比較手段を有し、
前記符号化手段は、前記比較手段による比較結果に基づいて、前記処理対象ブロックの符号化に用いる量子化パラメータの符号化を行うことを特徴とする請求項３に記載の画像符号化装置。
【請求項１２】
前記符号化手段は、前記比較手段による比較結果に基づいて、前記処理対象ブロックのブロックサイズが前記所定のブロックサイズより小さいサイズであって、かつ、前記処理対象ブロックが含まれる量子化制御ブロック内のブロックの量子化を制御するために用いられる量子化パラメータであって前記処理対象ブロックの他のブロックの量子化のための量子化パラメータが符号化済みでない場合に、前記処理対象ブロックの符号化に用いる量子化パラメータの符号化を行うことを特徴とする請求項１１に記載の画像符号化装置。
【請求項１３】
前記符号化手段は、前記比較手段による比較結果に基づいて、前記処理対象ブロックのブロックサイズが前記所定のブロックサイズ以上である場合に、前記処理対象ブロックの量子化を制御するのに用いる量子化パラメータの符号化を行うことを特徴とする請求項１１または請求項１２に記載の画像符号化装置。
【請求項１４】
前記符号化手段は、前記比較手段による比較結果に基づいて、前記処理対象ブロックのブロックサイズが前記所定のブロックサイズより小さいサイズであって、かつ、前記処理対象のブロックが含まれる量子化制御ブロック内のブロックの量子化を制御する量子化パラメータが符号化済みである場合に、前記処理対象ブロックの他のブロックの量子化に用いられた量子化パラメータを用いて前記処理対象ブロックを量子化することを特徴とする請求項１１乃至請求項１３のいずれか一項に記載の画像符号化装置。
【請求項１５】
さらに、前記画像を符号化する画像符号化手段を有することを特徴とする請求項１乃至請求項１４のいずれか一項に記載の画像符号化装置。
【請求項１６】
前記所定のサイズは、前記画像の量子化を制御する最小のブロックのブロックサイズであることを特徴とする請求項１乃至請求項１５のいずれか一項に記載の画像符号化装置。
【請求項１７】
画像を複数のサイズのブロックに分割し、分割されたブロックごとにパラメータ値に従って画質の制御を行うことにより符号化する画像符号化装置であって、
符号化の対象となる符号化対象ブロックのブロックサイズを取得する手段と、
前記パラメータ値の制御を行う最小ブロックサイズを取得する手段と、
前記パラメータ値を取得する手段と、
前記符号化対象ブロックのブロックサイズが前記最小ブロックサイズ以上であるか否かを判定する手段と、
取得した前記パラメータ値を符号化する手段とを有することを特徴とする画像符号化装置。
【請求項１８】
複数のブロックに分割された画像を当該ブロックのブロックサイズに基づいて符号化することにより得られる符号化データを復号する画像復号装置であって、
前記複数のブロックのうち、処理の対象である処理対象ブロックのブロックサイズに関する情報を取得する取得手段と、
前記処理対象ブロックのブロックサイズが所定のブロックサイズより小さいサイズであって、かつ、前記処理対象ブロックが含まれる量子化制御ブロック内のブロックの量子化を制御する量子化パラメータが復号されていない場合に、前記量子化制御ブロック内のブロックの量子化を制御する量子化パラメータを復号し出力する復号手段と
を有する画像復号装置。
【請求項１９】
前記所定のブロックサイズは、前記画像の量子化を制御するブロックのブロックサイズであることを特徴とする請求項１８に記載の画像復号装置。
【請求項２０】
前記取得手段は、前記処理対象ブロックのブロックサイズと対応したインデックスを取得することを特徴とする請求項１８または請求項１９に記載の画像復号装置。
【請求項２１】
前記取得手段は、前記処理対象ブロックに対する分割状態に関する情報に基づいて、当該処理対象ブロックのブロックサイズに関する情報を取得することを特徴とする請求項１８乃至請求項２０のいずれか一項に記載の画像復号装置。
【請求項２２】
前記復号手段は、前記処理対象ブロックのブロックサイズが前記所定のブロックサイズより小さいサイズであって、かつ、前記処理対象ブロックが含まれる量子化制御ブロック内のブロックの量子化を制御する量子化パラメータが復号されている場合には、前記処理対象ブロックに対する量子化制御ブロック内の複数のブロックの量子化を制御する量子化パラメータの復号を行わないことを特徴とする請求項１８乃至請求項２１のいずれか一項に記載の画像復号装置。
【請求項２３】
前記復号手段は、前記処理対象ブロックのブロックサイズが前記所定のブロックサイズ以上のサイズである場合に、前記処理対象ブロックの量子化を制御する量子化パラメータを復号することを特徴とする請求項１８乃至請求項２２のいずれか一項記載の画像復号装置。
【請求項２４】
さらに、前記処理対象ブロックのブロックサイズが前記所定のブロックサイズ以上のサイズである場合に、前記処理対象ブロックの量子化を制御する量子化パラメータを用いて前記処理対象ブロックを逆量子化し、
前記処理対象ブロックのブロックサイズが前記所定のブロックサイズより小さいサイズであって、かつ、前記処理対象ブロックが含まれる量子化制御ブロック内の複数のブロックの量子化を制御する量子化パラメータが復号されている場合に、前記対象ブロックの前のブロックの逆量子化に用いた前記量子化パラメータを用いて前記処理対象ブロックを逆量子化する逆量子化手段と、を有することを特徴とする請求項１８乃至請求項２３のいずれか一項に記載の画像復号装置。
【請求項２５】
前記取得手段は、復号の対象である前記処理対象ブロックの水平方向の画素数と垂直方向の画素数とを示すブロックサイズの情報を取得し、
前記復号手段は、前記取得手段で得られた前記ブロックサイズの情報に応じて、前記処理対象ブロックの復号に用いる量子化パラメータの復号を行うことを特徴とする請求項１８乃至請求項２４のいずれか一項に記載の画像復号装置。
【請求項２６】
前記複数のブロックサイズを示す情報は、ブロックサイズと対応したインデックスであることを特徴とする請求項２５に記載の画像復号装置。
【請求項２７】
さらに、前記処理対象ブロックが分割されているか否かの状態を判定する判定手段を有し、
前記復号手段は、前記処理対象ブロックが分割されていないと判断された場合であって、かつ、前記処理対象ブロックのブロックサイズが所定ブロックサイズ以上であると判断された場合に、前記処理対象ブロックの量子化を制御する前記量子化パラメータを復号することを特徴とする請求項１８乃至請求項２６のいずれか一項に記載の画像復号装置。
【請求項２８】
さらに、前記取得手段で得られた前記インデックスに基づいて、前記処理対象ブロックのブロックサイズと、前記所定のブロックサイズとを比較する比較手段を有し、
前記復号手段は、前記比較手段による比較結果に基づいて、前記処理対象ブロックの復号に用いる量子化パラメータの復号を行うことをとする請求項２０に記載の画像復号装置。
【請求項２９】
前記復号手段は、前記比較手段による比較結果に基づいて、前記処理対象ブロックのブロックサイズが前記所定のブロックサイズより小さいサイズであって、かつ、前記処理対象ブロックが含まれる量子化制御ブロック内のブロックの量子化を制御するために用いられる量子化パラメータであって前記処理対象ブロックの他のブロックの量子化のための量子化パラメータが復号済みでない場合に、前記処理対象ブロックの復号に用いる量子化パラメータの復号を行うことを特徴とする請求項２８に記載の画像復号装置。
【請求項３０】
前記復号手段は、前記比較手段による比較結果に基づいて、前記処理対象ブロックのブロックサイズが前記所定のブロックサイズ以上である場合に、前記処理対象ブロックの量子化を制御するのに用いる量子化パラメータの復号を行うことを特徴とする請求項２８または請求項２９に記載の画像復号装置。
【請求項３１】
前記復号手段は、前記比較手段による比較結果に基づいて、前記処理対象ブロックのブロックサイズが前記所定のブロックサイズより小さいサイズであって、かつ、前記処理対象ブロックが含まれる量子化制御ブロック内のブロックの量子化を制御する量子化パラメータが復号済みである場合に、前記処理対象のブロックの他のブロックの量子化に用いられた量子化パラメータを用いて前記処理対象ブロックを量子化することを特徴とする請求項２８乃至請求項３０のいずれか一項に記載の画像復号装置。
【請求項３２】
前記比較手段は、前記対象ブロックのブロックサイズが前記所定のブロックサイズ以上であるか否かを判定することを特徴とする請求項２８乃至請求項３１のいずれか一項に記載の画像復号装置。
【請求項３３】
さらに、前記画像を符号化した符号化データを復号する画像復号手段を有することを特徴とする請求項１８乃至請求項３２のいずれか一項に記載の画像復号装置。
【請求項３４】
前記所定のブロックサイズは、前記画像の量子化を制御する最小のブロックのブロックサイズであることを特徴とする請求項１８乃至請求項３３のいずれか一項に記載の画像復号装置。
【請求項３５】
複数のブロックに分割された画像を当該ブロックごとにパラメータ値に従って画質の制御を行うことにより符号化して得られる符号化データを復号する画像復号装置であって、
復号の対象となる復号対象ブロックのブロックサイズを取得する手段と、
前記パラメータ値の制御を行う最小ブロックサイズを取得する手段と、
前記パラメータ値を取得する手段と、
前記復号対象ブロックのブロックサイズが前記最小ブロックサイズ以上であるか否かを判定する手段と、
取得した前記パラメータ値を復号する手段とを有することを特徴とする画像復号装置。
【請求項３６】
画像を複数のブロックに分割し、分割されたブロックのブロックサイズに基づいて前記画像を符号化する画像符号化方法であって、
前記複数のブロックのうち、処理の対象である処理対象ブロックのブロックサイズに関する情報を取得する取得工程と、
前記処理対象ブロックのブロックサイズが所定のブロックサイズより小さいサイズであって、かつ、前記処理対象ブロックが含まれる量子化制御ブロック内のブロックの量子化を制御する量子化パラメータが符号化されていない場合に、前記量子化制御ブロック内のブロックの量子化を制御する量子化パラメータを符号化する符号化工程とを有する画像符号化方法。
【請求項３７】
複数のブロックに分割された画像を当該ブロックのブロックサイズに基づいて符号化することにより得られる符号化データを復号する画像復号方法であって、
前記複数のブロックのうち、処理の対象である処理対象ブロックのブロックサイズに関する情報を取得する取得工程と、
前記処理対象ブロックのブロックサイズが所定のブロックサイズより小さいサイズであって、かつ、前記処理対象ブロックが含まれる量子化制御ブロック内のブロックの量子化を制御する量子化パラメータが復号されていない場合に、前記量子化制御ブロック内のブロックの量子化を制御する量子化パラメータを復号し出力する復号工程と
を有する画像復号方法。
【請求項３８】
コンピュータを、請求項１乃至請求項１７のいずれか一項に記載の画像符号化装置の各手段として機能させるためのプログラム。
【請求項３９】
コンピュータを、請求項１８乃至請求項３５のいずれか一項に記載の画像復号装置の各手段として機能させるためのプログラム。
【手続補正２】
【補正対象書類名】明細書
【補正対象項目名】００１１
【補正方法】変更
【補正の内容】
【００１１】
上述課題を解決するため、本発明の画像符号化装置は以下の構成を有する。即ち、画像を複数のブロックに分割し、分割されたブロックのブロックサイズに基づいて前記画像を符号化する画像符号化装置であって、前記複数のブロックのうち、処理の対象である処理対象ブロックのブロックサイズに関する情報を取得する取得手段と、前記処理対象ブロックのブロックサイズが所定のブロックサイズより小さいサイズであって、かつ、前記処理対象ブロックが含まれる量子化制御ブロック内のブロックの量子化を制御する量子化パラメータが符号化されていない場合に、前記量子化制御ブロック内のブロックの量子化を制御する量子化パラメータを符号化する符号化手段とを有する。
また、本発明の画像復号装置は以下の構成を備える。即ち、複数のブロックに分割された画像を当該ブロックのブロックサイズに基づいて符号化することにより得られる符号化データを復号する画像復号装置であって、前記複数のブロックのうち、処理の対象である処理対象ブロックのブロックサイズに関する情報を取得する取得手段と、前記処理対象ブロックのブロックサイズが所定のブロックサイズより小さいサイズであって、かつ、前記処理対象ブロックが含まれる量子化制御ブロック内のブロックの量子化を制御する量子化パラメータが復号されていない場合に、前記量子化制御ブロック内のブロックの量子化を制御する量子化パラメータを復号し出力する復号手段とを有する。